(57)【特許請求の範囲】
【請求項１】
電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、
各電源ラインに設けられかつ前記各電源が接続される入力端子部と前記各電源を接続・遮断する制御端子部とを備えて前記各電源を接続・遮断する各トランジスタと、前記入力端子部と前記制御端子部に接続される抵抗器と該抵抗器と並列に接続されたコンデンサと前記制御端子部に入力される制御信号を制御する抵抗器とを含み当該抵抗器を介して前記制御端子部の電位を制御することにより前記トランジスタがオンしたときに電流が供給される負荷に対する突入電流を防止するために前記コンデンサへの電荷の蓄積を利用したソフトスタート機能部を有して前記複数の電源ラインのうちの１つを使用する電源ラインとして選択する使用電源ライン選択手段と、前記電源装着部から前記使用電源ライン選択手段までの複数の電源ラインの残電荷を放電する放電手段と、前記使用電源ライン選択手段以降の電源ラインの残電荷を放電する放電手段とを備え、
前記電源装着部から前記使用電源ライン選択手段までの複数の電源ラインの残電荷の放電と前記使用電源ライン選択手段以降の電源ラインの残電荷の放電と前記ソフトスタート機能部のコンデンサに蓄積された残電荷の放電とを行わせると共に前記使用電源ライン選択手段以降の残電荷を検出して前記使用電源ライン判別手段に前記電源が接続されている電源ラインを判別させ、当該使用電源ライン判別手段の判別した電源ラインを使用電源ラインとして前記使用電源ライン選択手段に選択させることを特徴とする電源装置。
【請求項２】
電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、
各電源ラインに設けられかつ前記各電源が接続される入力端子部と前記各電源を接続・遮断する制御端子部とを備えて前記各電源を接続・遮断する各トランジスタと、前記入力端子部と前記制御端子部に接続される抵抗器と該抵抗器と並列に接続されたコンデンサと前記制御端子部に入力される制御信号を制御する抵抗器とを含み当該抵抗器を介して前記制御端子部の電位を制御することにより前記トランジスタがオンしたときに電流が供給される負荷に対する突入電流を防止するために前記コンデンサへの電荷の蓄積を利用したソフトスタート機能部を有して前記複数の電源ラインのうちの１つを使用する電源ラインとして選択する使用電源ライン選択手段と、
前記電源装着部から前記使用電源ライン選択手段までの複数の電源ラインの残電荷を放電する放電手段と、前記使用電源ライン選択手段以降の電源ラインの残電荷を放電する放電手段とを備え、
前記電源装着部から前記使用電源ライン選択手段までの複数の電源ラインの残電荷の放電と前記使用電源ライン選択手段以降の電源ラインの残電荷の放電と前記ソフトスタート機能部のコンデンサに蓄積された残電荷の放電とを行わせると共に前記電源装着部から前記使用電源ライン選択手段までの残電荷の検出と前記使用電源ライン選択手段以降の残電荷の検出とを行って前記使用電源ライン判別手段に前記電源が接続されている電源ラインを判別させ、当該使用電源ライン判別手段の判別した電源ラインを使用電源ラインとして前記使用電源ライン選択手段に選択させることを特徴とする電源装置。
【請求項３】
電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、
各電源ラインに設けられかつ前記各電源が接続される入力端子部と前記各電源を接続・遮断する制御端子部とを備えて前記各電源を接続・遮断する各トランジスタと、前記入力端子部と前記制御端子部に接続される抵抗器と該抵抗器と並列に接続されたコンデンサと前記制御端子部に入力される制御信号を制御する抵抗器とを含み当該抵抗器を介して前記制御端子部の電位を制御することにより前記トランジスタがオンしたときに電流が供給される負荷に対する突入電流を防止するために前記コンデンサへの電荷の蓄積を利用したソフトスタート機能部を有して前記複数のうちの１つを使用する電源ラインとして選択する使用電源ライン選択手段と、
該ソフトスタート機能部のコンデンサに蓄積された残電荷の放電を行うと共に前記電源装着部から前記使用電源ライン選択手段までの前記複数の電源ラインの残電荷の放電と前記使用電源ライン選択手段以降の電源ラインの残電荷の放電との少なくとも一方を行う放電手段と、
前記放電手段による残電荷の放電と放電開始から所定時間経過後の電源ラインの電圧とを検出することにより前記使用電源ライン判別手段に使用電源ラインを判別させると共に該使用電源ライン判別手段の判別結果に基づき前記使用電源ライン選択手段に使用電源ラインを選択させる制御手段と、
を備えていることを特徴とする電源装置。
【請求項４】
電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、
各電源ラインに設けられかつ前記各電源が接続される入力端子部と前記各電源を接続・遮断する制御端子部とを備えて前記各電源を接続・遮断する各トランジスタと、前記入力端子部と前記制御端子部に接続される抵抗器と該抵抗器と並列に接続されたコンデンサと前記制御端子部に入力される制御信号を制御する抵抗器とを含み当該抵抗器を介して前記制御端子部の電位を制御することにより前記トランジスタがオンしたときに電流が供給される負荷に対する突入電流を防止するために前記コンデンサへの電荷の蓄積を利用したソフトスタート機能部を有して前記複数のうちの１つを使用する電源ラインとして選択する使用電源ライン選択手段と、
該ソフトスタート機能部のコンデンサに蓄積された残電荷の放電を行うと共に前記電源装着部から前記使用電源ライン選択手段までの前記複数の電源ラインの残電荷の放電と前記使用電源ライン選択手段以降の電源ラインの残電荷の放電との少なくとも一方を行う放電手段と、
前記残電荷の放電と前記残電荷の検出とを所定回数行わせて前記使用電源ライン判別手段に使用電源ラインを判別させると共に該使用電源ライン判別手段の判別結果に基づき前記使用電源ライン選択手段に使用電源ラインを選択させる制御手段と、
を備えていることを特徴とする電源装置。
【請求項５】
前記制御手段は、前記使用電源ライン判別手段による使用電源ラインの判別を行う前に、前記残電荷の放電と前記残電荷の検出との少なくとも一方を開始させることを特徴とする請求項３又は請求項４に記載の電源装置。
【請求項６】
前記制御手段は、前記使用電源ライン判別手段による使用電源ラインの判別を行う前に、前記残電荷の放電と前記残電荷の検出とを平行して実行させることを特徴とする請求項３又は請求項４に記載の電源装置。
【請求項７】
前記制御手段は、前記使用電源ライン判別手段による使用電源ラインの判別を行う前に、前記放電手段による前記残電荷の放電と前記残電荷の検出とを所定の優先順位に基づいて実行させることを特徴とする請求項３又は請求項４に記載の電源装置。
【請求項８】
前記制御手段は、前記残電荷が所定の設定値に低下しているが、前記使用電源ライン判別手段による使用電源ラインの検出が可能な状態でないときには、放電処理と残電荷検出処理との少なくとも一方を停止させ、前記使用電源ライン選択手段に少なくとも１つの電源を選択させることを特徴とする請求項３又は請求項４に記載の電源装置。
【請求項９】
前記制御手段は、予め設定された所定の設定条件内にエラーであると認識されたときに所定のエラー処理を実行するエラー処理手段を更に備え、前記使用電源ライン判別手段による使用電源ラインの検出が可能な状態とならないときには、放電処理と残電荷検出処理との少なくとも一方を停止させ、前記エラー処理手段により所定のエラー処理を実行することを特徴とする請求項３又は請求項４に記載の電源装置。
【請求項１０】
請求項１ないし請求項９のいずれか１項に記載の電源装置を備えたことを特徴とする電子機器。
【発明の詳細な説明】
【技術分野】
【０００１】
本発明は、電源装置及び電子機器に関し、詳細には、複数の電源ラインを有してその電源ラインのうちのいずれか一つの電源ラインに着脱可能な電源が接続されているかを正確に判定して安全に電力を供給する電源装置及び電子機器に関する。
【背景技術】
【０００２】
近年、デジタルスチルカメラ等の電子機器においては、複数の各種電池及び交流電源をアダプタで直流変換した電源等のように複数の電源を選択的に使用できるようになってきている。
【０００３】
このような複数の電源を利用可能な電子機器においては、例えば、１次電池の単３型アルカリマンガン電池と充電可能なＮｉ−Ｃｄ電池（ニッケルカドミウム電池）やリチウム電池等の２次電池とを選択的に使用可能となっていることが多く、このように複数の電源を利用可能な電子装置においては、利用する電源の性能を適切に利用するとともに、発煙、発火、爆発等の事故の発生を防止するために、利用する電源の種類を判別するものがある。
【０００４】
そこで、従来、複数種類の電池を選択的に使用可能な電子機器において、使用される電池の種類を判別する電池判別手段と、この電池判別手段の判別結果に応じて、電池の供給電流を切り換える電流切換手段とを有する電子機器が提案されている（特許文献１参照）。
【０００５】
また、従来、外形形状が略同じであるが電気的特性の異なる電池の１つが選択されて電池収納室に装填される際に、装填された電池がいずれの電池であるかを判別して、装填状況を表示するカメラが提案されている（特許文献２参照）。
【０００６】
そして、本出願人は、先に、電源収納部と直流電源入力端子とを設け、電源収納部には、電池を組み込んだ電池電源と商用交流を所定の直流電圧に変換するＡＣアダプタのいずれを差し換えて着脱可能に装着でき、ＡＣアダプタ使用時には直流電源入力端子を使用不能として、直流電源入力端子からの直流電源が本体回路に印加されないようにした電子機器を提案している（特許文献３参照）。
【０００７】
すなわち、この従来技術は、電池電源で動作中でも電池に対する充電が可能で、商用電源で動作させる場合でも場所をとらない電源部とするとともに、ＡＣアダプタ使用時に直流電源入力端子から異常な電流が印加されて、誤動作や回路の破壊が起こるのを防止している。
【０００８】
【特許文献１】特開平１１−０８４４６２号公報
【特許文献２】特開２０００−１９５９５号公報
【特許文献３】特開平７−５９３３５号公報
【発明の開示】
【発明が解決しようとする課題】
【０００９】
ところで、従来、複数の電源の種類を判別することは行っているが、複数の電源ラインのうち使用している電源ラインを判別すること、この複数の電源ラインのうちのいずれの電源ラインに電源が接続されているかを正確かつ迅速に判別すること、使用している電源ラインの判別を誤った際の対処については、考慮されておらず、装置の安全、特に、発煙、発火、爆発等の異常発生を防止する上で改良の必要があった。
【００１０】
そこで、本発明は、素早く、かつ、正確に使用している電源ラインの判別を行うとともに、使用している電源ラインの判別を誤っても安全な電源装置及び当該電源装置を備えた電子機器を提供することを目的とする。
【００１１】
具体的には、請求項１に記載の発明は、電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、コンデンサと抵抗器との並列回路からなりかつ負荷に対する突入電流を防止するためのソフトスタート機能部を有して前記複数の電源ラインのうちの１つを使用する電源ラインとして選択する使用電源ライン選択手段と、前記電源装着部から前記使用電源ライン選択手段までの電源ラインの残電荷を放電する放電手段とを備え、前記電源装着部から前記使用電源ライン選択手段までの電源ラインの残電荷の放電を行わせると共に前記ソフトスタート機能部の残電荷の放電を行わせて前記使用電源ライン判別手段に前記電源が接続されている電源ラインを判別させ、当該使用電源ライン判別手段の判別した電源ラインを使用電源ラインとして前記使用電源ライン選択手段に選択させることにより、使用電源ラインを素早く正確に判別させることができる電源装置を提供することを目的としている。
請求項２に記載の発明は、電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、コンデンサと抵抗器との並列回路からなりかつ負荷に対する突入電流を防止するためのソフトスタート機能部を有して前記複数の電源ラインのうちの１つを使用する電源ラインとして選択する使用電源ライン選択手段と、前記電源装着部から前記使用電源ライン選択手段までの電源ラインの残電荷を放電する放電手段とを備え、前記電源装着部から前記使用電源ライン選択手段までの電源ラインのうちの少なくとも一つの電源ラインの残電荷の放電を行わせると共に前記ソフトスタート機能部の残電荷の放電を行わせて前記使用電源ライン判別手段に前記電源が接続されている電源ラインを判別させ、使用電源ライン判別手段の判別した電源ラインを使用電源ラインとして前記使用電源ライン選択手段に選択させることにより、使用電源ラインを素早く正確に判別させることができる電源装置を提供することを目的としている。
請求項３記載の発明は、電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、コンデンサと抵抗器との並列回路からなりかつ負荷に対する突入電流を防止するためのソフトスタート機能部を有して前記複数の電源ラインのうちの１つを使用する電源ラインとして選択する使用電源ライン選択手段と、前記使用電源ライン選択手段以降の電源ラインの残電荷を放電する放電手段とを備え、前記使用電源ライン選択手段以降の電源ラインの残電荷の放電を行わせると共に前記ソフトスタート機能部の残電荷の放電を行わせて前記使用電源ライン判別手段に前記電源が接続されている電源ラインを判別させ、当該使用電源ライン判別手段の判別した電源ラインを使用電源ラインとして前記使用電源ライン選択手段に選択させることにより使用電源ラインを素早く正確に判別することができる電源装置を提供することを目的としている。
請求項４記載の発明は、電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、コンデンサと抵抗器との並列回路からなりかつ負荷に対する突入電流を防止するためのソフトスタート機能部を有して前記複数の電源ラインのうちの１つを使用する電源ラインとして選択する使用電源ライン選択手段と、前記電源装着部から前記使用電源ライン選択手段までの複数の電源ラインの残電荷を放電する放電手段と、前記使用電源ライン選択手段以降の電源ラインの残電荷を放電する放電手段とを備え、前記電源装着部から前記使用電源ライン選択手段までの複数の電源ラインの残電荷の放電と前記使用電源ライン選択手段以降の電源ラインの残電荷の放電と前記ソフトスタート機能部の残電荷の放電とを行わせると共に前記使用電源ライン選択手段以降の残電荷を検出して前記使用電源ライン判別手段に前記電源が接続されている電源ラインを判別させ、当該使用電源ライン判別手段の判別した電源ラインを使用電源ラインとして前記使用電源ライン選択手段に選択させることにより、使用電源ラインを素早くかつより一層正確に判別することができる電源装置を提供することを目的としている。
請求項５記載の発明は、電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、コンデンサと抵抗器との並列回路からなりかつ負荷に対する突入電流を防止するためのソフトスタート機能部を有して前記複数の電源ラインのうちの１つを使用する電源ラインとして選択する使用電源ライン選択手段と、前記電源装着部から前記使用電源ライン選択手段までの複数の電源ラインの残電荷を放電する放電手段と、前記使用電源ライン選択手段以降の電源ラインの残電荷を放電する放電手段とを備え、前記電源装着部から前記使用電源ライン選択手段までの複数の電源ラインの残電荷の放電と前記使用電源ライン選択手段以降の電源ラインの残電荷の放電と前記ソフトスタート機能部の残電荷の放電とを行わせると共に前記電源装着部から前記使用電源ライン選択手段までの残電荷の検出と前記使用電源ライン選択手段以降の残電荷の検出とを行って前記使用電源ライン判別手段に前記電源が接続されている電源ラインを判別させ、当該使用電源ライン判別手段の判別した電源ラインを使用電源ラインとして前記使用電源ライン選択手段に選択させることにより、使用電源ラインを素早くかつより一層正確に判別することができる電源装置を提供することを目的としている。
請求項６記載の発明は、電源が着脱可能な電源装着部をそれぞれ有する複数の電源ラインを切り換えて使用可能な電源装置であって、前記複数の電源ラインのうちのいずれの電源ラインに電源が接続されているか否かを検出する使用電源ライン判別手段と、コンデンサと抵抗器との並列回路からなりかつ負荷に対する突入電流を防止するためのソフトスタート機能部を有して前記複数のうちの１つを使用する電源ラインとして選択する使用電源ライン選択手段と、前記ソフトスタート機能部の残電荷の放電を行うと共に前記電源装着部から前記使用電源ライン選択手段までの前記複数の電源ラインの残電荷の放電と前記使用電源ライン選択手段以降の電源ラインの残電荷の放電との少なくとも一方を行う放電手段と、前記放電手段による残電荷の放電と放電開始から所定時間経過後の電源ラインの電圧とを検出することにより前記使用電源ライン判別手段に使用電源ラインを判別させると共に該使用電源ライン判別手段の判別結果に基づき前記使用電源ライン選択手段に使用電源ラインを選択させる制御手段とを備えていることにより、使用電源ラインを素早くかつより一層正確に判別することができる電源装置を提供することを目的としている。
請求項７記載の発明は、電源が着脱可能な電源装着部をそれぞれ有する複数の電源ラインを切り換えて使用可能な電源装置であって、前記複数の電源ラインのうちのいずれの電源ラインに電源が接続されているか否かを検出する使用電源ライン判別手段と、コンデンサと抵抗器との並列回路からなりかつ負荷に対する突入電流を防止するためのソフトスタート機能部を有して前記複数のうちの１つを使用する電源ラインとして選択する使用電源ライン選択手段と、前記ソフトスタート機能部の残電荷の放電を行うと共に前記電源装着部から前記使用電源ライン選択手段までの前記複数の電源ラインの残電荷の放電と前記使用電源ライン選択手段以降の電源ラインの残電荷の放電との少なくとも一方を行う放電手段と、前記残電荷の放電と前記残電荷の検出とを所定回数行わせて前記使用電源ライン判別手段に使用電源ラインを判別させると共に該使用電源ライン判別手段の判別結果に基づき前記使用電源ライン選択手段に使用電源ラインを選択させる制御手段とを備えていることにより、使用電源ラインを素早くかつより一層正確に判別することができる電源装置を提供することを目的としている。
請求項８に記載の発明は、制御手段が、前記使用電源ライン判別手段による使用電源ラインの判別を行う前に、前記残電荷の放電と前記残電荷の検出との少なくとも一方を開始させることにより、使用電源ラインを素早くかつより一層正確に判別することができる電源装置を提供することを目的としている。
請求項９記載の発明は、制御手段が、前記使用電源ライン判別手段による使用電源ラインの判別を行う前に、前記残電荷の放電と前記残電荷の検出とを平行して実行することにより、使用電源ラインを素早くかつより一層正確に判別することができる電源装置を提供することを目的としている。
請求項１０に記載の発明は、制御手段が、前記使用電源ライン判別手段による使用電源ラインの判別を行う前に、前記残電荷の放電と前記残電荷の検出とを所定の優先順位に基づいて実行することにより、使用電源ラインを素早くかつより一層正確に判別することができる電源装置を提供することを目的としている。
請求項１１に記載の発明は、制御手段が、前記残電荷検出手段の検出する残電荷が所定の設定値に低下しているが、前記使用電源ライン判別手段による使用電源ラインの検出が可能な状態でないときには、放電処理と残電荷検出処理との少なくとも一方を停止させ、前記使用電源ライン選択手段に少なくとも１つの電源を選択させることにより、使用電源ラインの選択の誤りに起因する発煙、発火、爆発等の危険を回避することができ、安全性を向上させることができる電源装置を提供することを目的としている。
請求項１２に記載の発明は、制御手段は、予め設定された所定の設定条件内にエラーであると認識されたときに所定のエラー処理を実行するエラー処理手段を更に備え、前記使用電源ライン判別手段による使用電源ラインの検出が可能な状態とならないときには、放電処理と残電荷検出処理との少なくとも一方を停止させ、前記エラー処理手段により所定のエラー処理を実行することにより、使用電源ラインの選択の誤りに起因する発煙、発火、爆発等の危険を回避することができ、安全性を向上させることができる電源装置を提供することを目的としている。
請求項１３記載の発明は、請求項１ないし請求項１２のいずれか１項に記載の電源装置を備えることにより、使用電源ラインを素早くかつより一層正確に判別することができ、ひいては、使用電源ラインの選択の誤りに起因する発煙、発火、爆発等の危険を回避することができ、安全性を向上させることができる電子機器を提供することを目的とする。
【課題を解決するための手段】
【００１２】
請求項１記載の電源装置は、電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、
各電源ラインに設けられかつ前記各電源が接続される入力端子部と前記各電源を接続・遮断する制御端子部とを備えて前記各電源を接続・遮断する各トランジスタと、前記入力端子部と前記制御端子部に接続される抵抗器と該抵抗器と並列に接続されたコンデンサと前記制御端子部に入力される制御信号を制御する抵抗器とを含み当該抵抗器を介して前記制御端子部の電位を制御することにより前記トランジスタがオンしたときに電流が供給される負荷に対する突入電流を防止するために前記コンデンサへの電荷の蓄積を利用したソフトスタート機能部を有して前記複数の電源ラインのうちの１つを使用する電源ラインとして選択する使用電源ライン選択手段と、
前記電源装着部から前記使用電源ライン選択手段までの複数の電源ラインの残電荷を放電する放電手段と、
前記使用電源ライン選択手段以降の電源ラインの残電荷を放電する放電手段とを備え、
前記電源装着部から前記使用電源ライン選択手段までの複数の電源ラインの残電荷の放電と前記使用電源ライン選択手段以降の電源ラインの残電荷の放電と前記ソフトスタート機能部のコンデンサに蓄積された残電荷の放電とを行わせると共に前記使用電源ライン選択手段以降の残電荷を検出して前記使用電源ライン判別手段に前記電源が接続されている電源ラインを判別させ、当該使用電源ライン判別手段の判別した電源ラインを使用電源ラインとして前記使用電源ライン選択手段に選択させることを特徴とする。
請求項２記載の電源装置は、電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、
各電源ラインに設けられかつ前記各電源が接続される入力端子部と前記各電源を接続・遮断する制御端子部とを備えて前記各電源を接続・遮断する各トランジスタと、前記入力端子部と前記制御端子部に接続される抵抗器と該抵抗器と並列に接続されたコンデンサと前記制御端子部に入力される制御信号を制御する抵抗器とを含み当該抵抗器を介して前記制御端子部の電位を制御することにより前記トランジスタがオンしたときに電流が供給される負荷に対する突入電流を防止するために前記コンデンサへの電荷の蓄積を利用したソフトスタート機能部を有して前記複数の電源ラインのうちの１つを使用する電源ラインとして選択する使用電源ライン選択手段と、
前記電源装着部から前記使用電源ライン選択手段までの複数の電源ラインの残電荷を放電する放電手段と、
前記使用電源ライン選択手段以降の電源ラインの残電荷を放電する放電手段とを備え、
前記電源装着部から前記使用電源ライン選択手段までの複数の電源ラインの残電荷の放電と前記使用電源ライン選択手段以降の電源ラインの残電荷の放電と前記ソフトスタート機能部のコンデンサに蓄積された残電荷の放電とを行わせると共に前記電源装着部から前記使用電源ライン選択手段までの残電荷の検出と前記使用電源ライン選択手段以降の残電荷の検出とを行って前記使用電源ライン判別手段に前記電源が接続されている電源ラインを判別させ、当該使用電源ライン判別手段の判別した電源ラインを使用電源ラインとして前記使用電源ライン選択手段に選択させることを特徴とする。
請求項３記載の電源装置は、電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、
各電源ラインに設けられかつ前記各電源が接続される入力端子部と前記各電源を接続・遮断する制御端子部とを備えて前記各電源を接続・遮断する各トランジスタと、前記入力端子部と前記制御端子部に接続される抵抗器と該抵抗器と並列に接続されたコンデンサと前記制御端子部に入力される制御信号を制御する抵抗器とを含み当該抵抗器を介して前記制御端子部の電位を制御することにより前記トランジスタがオンしたときに電流が供給される負荷に対する突入電流を防止するために前記コンデンサへの電荷の蓄積を利用したソフトスタート機能部を有して前記複数のうちの１つを使用する電源ラインとして選択する使用電源ライン選択手段と、
該ソフトスタート機能部のコンデンサに蓄積された残電荷の放電を行うと共に前記電源装着部から前記使用電源ライン選択手段までの前記複数の電源ラインの残電荷の放電と前記使用電源ライン選択手段以降の電源ラインの残電荷の放電との少なくとも一方を行う放電手段と、前記放電手段による残電荷の放電と放電開始から所定時間経過後の電源ラインの電圧とを検出することにより前記使用電源ライン判別手段に使用電源ラインを判別させると共に該使用電源ライン判別手段の判別結果に基づき前記使用電源ライン選択手段に使用電源ラインを選択させる制御手段と、を備えていることを特徴とする。
請求項４記載の電源装置は、電源が着脱可能な電源装着部をそれぞれ有する複数の電源ラインを切り換えて使用可能な電源装置であって、前記複数の電源ラインのうちいずれの電源ラインに電源が接続されているか否かを検出する使用電源ライン判別手段と、
各電源ラインに設けられかつ前記各電源が接続される入力端子部と前記各電源を接続・遮断する制御端子部とを備えて前記各電源を接続・遮断する各トランジスタと、前記入力端子部と前記制御端子部に接続される抵抗器と該抵抗器と並列に接続されたコンデンサと前記制御端子部に入力される制御信号を制御する抵抗器とを含み当該抵抗器を介して前記制御端子部の電位を制御することにより前記トランジスタがオンしたときに電流が供給される負荷に対する突入電流を防止するために前記コンデンサへの電荷の蓄積を利用したソフトスタート機能部を有して前記複数のうちの１つを使用する電源ラインとして選択する使用電源ライン選択手段と、
該ソフトスタート機能部のコンデンサに蓄積された残電荷の放電を行うと共に前記電源装着部から前記使用電源ライン選択手段までの前記複数の電源ラインの残電荷の放電と前記使用電源ライン選択手段以降の電源ラインの残電荷の放電との少なくとも一方を行う放電手段と、
前記残電荷の放電と前記残電荷の検出とを所定回数行わせて前記使用電源ライン判別手段に使用電源ラインを判別させると共に該使用電源ライン判別手段の判別結果に基づき前記使用電源ライン選択手段に使用電源ラインを選択させる制御手段と、を備えていることを特徴とする。
請求項５記載の電源装置は、前記制御手段は、前記使用電源ライン判別手段による使用電源ラインの判別を行う前に、前記残電荷の放電と前記残電荷の検出との少なくとも一方を開始させることを特徴とする。
請求項６記載の電源装置は、前記制御手段は、前記使用電源ライン判別手段による使用電源ラインの判別を行う前に、前記残電荷の放電と前記残電荷の検出とを平行して実行させることを特徴とする。
請求項７記載の電源装置は、前記制御手段は、前記使用電源ライン判別手段による使用電源ラインの判別を行う前に、前記放電手段による前記残電荷の放電と前記残電荷の検出とを所定の優先順位に基づいて実行させることを特徴とする。
請求項８記載の電源装置は、前記制御手段は、前記残電荷が所定の設定値に低下しているが、前記使用電源ライン判別手段による使用電源ラインの検出が可能な状態でないときには、放電処理と残電荷検出処理との少なくとも一方を停止させ、前記使用電源ライン選択手段に少なくとも１つの電源を選択させることを特徴とする。
請求項９記載の電源装置は、前記制御手段は、予め設定された所定の設定条件内にエラーであると認識されたときに所定のエラー処理を実行するエラー処理手段を更に備え、
前記使用電源ライン判別手段による使用電源ラインの検出が可能な状態とならないときには、放電処理と残電荷検出処理との少なくとも一方を停止させ、前記エラー処理手段により所定のエラー処理を実行することを特徴とする。
請求項１０記載の電子機器は、請求項１ないし請求項９のいずれか１項に記載の電源装置を備えたことを特徴とする。
【発明の効果】
【００１３】
請求項１記載の発明の電源装置によれば、電源装着部から使用電源ライン選択手段までの電源ラインの残電荷の放電とソフトスタート機能部の残電荷の放電とを行わせて使用電源ライン判別手段に電源が接続されている電源ラインを判別させ、当該使用電源ライン判別手段の判別した電源ラインを使用電源ラインとして使用電源ライン選択手段に選択させるので、使用電源ラインを素早く、かつ、正確に判別することができる。
請求項２に記載の発明の電源装置によれば、電源装着部から使用電源ライン選択手段までの電源ラインのうちの少なくとも一つの電源ラインの残電荷の放電とソフトスタート機能部の残電荷の放電とを行わせて使用電源ライン判別手段に電源が接続されている電源ラインを判別させ、使用電源ライン判別手段の判別した電源ラインを使用電源ラインとして使用電源ライン選択手段に選択させるので、請求項１と同様の効果を奏する。
請求項３記載の発明の電源装置によれば、使用電源ライン選択手段以降の電源ラインの残電荷の放電とソフトスタート機能部の残電荷の放電とを行わせて使用電源ライン判別手段に電源が接続されている電源ラインを判別させ、当該使用電源ライン判別手段の判別した電源ラインを使用電源ラインとして使用電源ライン選択手段に選択させるので、使用電源ラインを素早く、かつ、正確に判別することができる。
請求項４記載の発明の電源装置、請求項５記載の発明の電源装置によれば、前記電源装着部から前記使用電源ライン選択手段までの複数の電源ラインの残電荷の放電と使用電源ライン選択手段以降の電源ラインの残電荷の放電とソフトスタート機能部の残電荷の放電とを行わせると共に残電荷の検出を行って、使用電源ライン判別手段に電源が接続されている電源ラインを判別させ、当該使用電源ライン判別手段の判別した電源ラインを使用電源ラインとして使用電源ライン選択手段に選択させることにしたので、使用電源ラインを素早くかつより一層正確に判別することができる。
請求項６記載の電源装置は、電源が着脱可能な電源装着部をそれぞれ有する複数の電源ラインを切り換えて使用可能な電源装置であって、前記複数の電源ラインのうちのいずれの電源ラインに電源が接続されているか否かを検出する使用電源ライン判別手段と、コンデンサと抵抗器との並列回路からなりかつ負荷に対する突入電流を防止するためのソフトスタート機能部を有して前記複数のうちの１つを使用する電源ラインとして選択する使用電源ライン選択手段と、前記ソフトスタート部の残電荷の放電を行うと共に前記電源装着部から前記使用電源ライン選択手段までの前記複数の電源ラインの残電荷の放電と前記使用電源ライン選択手段以降の電源ラインの残電荷の放電との少なくとも一方を行う放電手段と、前記放電手段による残電荷の放電と放電開始から所定時間経過後の電源ラインの電圧とを検出することにより前記使用電源ライン判別手段に使用電源ラインを判別させると共に該使用電源ライン判別手段の判別結果に基づき前記使用電源ライン選択手段に使用電源ラインを選択させる制御手段とを備えているので、使用電源ラインを素早くかつより一層正確に判別することができる。
請求項７記載の電源装置は、電源が着脱可能な電源装着部をそれぞれ有する複数の電源ラインを切り換えて使用可能な電源装置であって、前記複数の電源ラインのうちのいずれの電源ラインに電源が接続されているか否かを検出する使用電源ライン判別手段と、コンデンサと抵抗器との並列回路からなりかつ負荷に対する突入電流を防止するためのソフトスタート機能部を有して前記複数のうちの１つを使用する電源ラインとして選択する使用電源ライン選択手段と、前記ソフトスタート機能部の残電荷の放電を行うと共に前記電源装着部から前記使用電源ライン選択手段までの前記複数の電源ラインの残電荷の放電と前記使用電源ライン選択手段以降の電源ラインの残電荷の放電との少なくとも一方を行う放電手段と、前記残電荷の放電と前記残電荷の検出とを所定回数行わせて前記使用電源ライン判別手段に使用電源ラインを判別させると共に該使用電源ライン判別手段の判別結果に基づき前記使用電源ライン選択手段に使用電源ラインを選択させる制御手段とを備えているので、使用電源ラインを素早くかつより一層正確に判別することができる。
請求項８記載の発明の電源装置によれば、制御手段により、使用電源ライン判別手段による使用電源ラインの判別を行う前に、残電荷の放電と残電荷の検出との少なくとも一方を開始させることにしたので、使用電源ラインを素早くかつより一層正確に判別することができる。
請求項９記載の発明の電源装置によれば、制御手段により、使用電源ライン判別手段による使用電源ラインの判別を行う前に、残電荷の放電と残電荷の検出とを平行して実行させるので、使用電源ラインを素早くかつより一層正確に判別することができる。
請求項１０に記載の発明の電源装置によれば、制御手段により、使用電源ライン判別手段による使用電源ラインの判別を行う前に、残電荷の放電と残電荷の検出とを所定の優先順位に基づいて実行させるので、使用電源ラインを素早くかつより一層正確に判別することができる。
請求項１１記載の発明の電源装置によれば、制御手段により、残電荷が所定の設定値に低下しているが、使用電源ライン判別手段による使用電源ラインの検出が可能な状態でないときには、放電処理と残電荷検出処理との少なくとも一方を停止させ、使用電源ライン選択手段に少なくとも１つの電源を選択させることにしたので、使用電源ラインの選択の誤りに起因する発煙、発火、爆発等の危険を回避することができ、安全性を向上させることができる。
請求項１２記載の発明の電源装置によれば、使用電源ライン判別手段による使用電源ラインの検出が可能な状態とならないときには、放電処理と残電荷検出処理との少なくとも一方を停止させ、エラー処理手段により所定のエラー処理を実行させることにしたので、使用電源ラインの選択の誤りに起因する発煙、発火、爆発等の危険を回避することができ、安全性を向上させることができる。
請求項１３記載の発明の電子機器によれば、請求項１ないし請求項１２のいずれか１項に記載の電源装置を備えることにより、使用電源ラインを素早くかつより一層正確に判別することができ、ひいては、使用電源ラインの選択の誤りに起因する発煙、発火、爆発等の危険を回避することができ、安全性を向上させることができる。
【発明を実施するための最良の形態】
【００１４】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１５】
図１〜図７は、本発明の電源装置及び電子機器の一実施例を示す図であり、図１は、本発明の電源装置及び電子機器の一実施例を適用した画像記録装置１の電源部１０の要部ブロック構成図である。
【００１６】
図１において、画像記録装置１は、デジタルスチルカメラ、複写装置、プリンタ装置等の画像記録を行う電子機器であり、電源部（電源装置）１０、当該電源部１０に接続される複数の電源装着部２０ａ〜２０ｎ及び電源部１０から電源の供給される表示部や音声部等のその他のユニット３０等を備えている。
【００１７】
電源部１０は、電源装着部２０ａ〜２０ｎの数に対応した数の放電回路（放電手段）１１ａ〜１１ｎ、判別回路（使用電源ライン判別手段）１２、選択部（使用電源ライン選択手段）１３、放電回路（放電手段）１４、検出回路（残電荷検出手段）１５及び制御部（制御手段）１６等を備えている。
【００１８】
選択部１３は、電源装着部２０ａ〜２０ｎの数に対応した数の選択回路１３ａ〜１３ｎを備えている。各選択回路１３ａ〜１３ｎはそれぞれ電源装着部２０ａ〜２０ｎに電源ラインを介してそれぞれ接続されている。選択部１３は、その他のユニット３０に１個の電源ラインを介して接続されて、選択した電源装着部２０ａ〜２０ｎのいずれか一に装着されている電源からその他のユニット３０に電源電力を供給する。この選択部１３は、後述するように、電荷の蓄積を利用したソフトスタート機能部を備えている。
【００１９】
判別回路１２は、各電源装着部２０ａ〜２０ｎへの電源の装着の有無を判別して、制御部１６に判別結果を出力し、制御部１６が、この判別回路１２の判別結果に基づいて選択回路１３ａ〜１３ｎ及び放電回路１１ａ〜１１ｎを制御して、電源装着部２０ａ〜２０ｎにそれぞれ接続されている電源ラインの選択制御及び放電制御を行う。
【００２０】
放電回路１１ａ〜１１ｎは、電源装着部２０ａ〜２０ｎと選択部１３の各選択回路１３ａ〜１３ｎの間に接続されている。この放電回路１１ａ〜１３ｎは、制御部１６の制御下でオン／オフ動作をして、各電源装着部２０ａ〜２０ｎ及び当該電源装着部２０ａ〜２０ｎの電源ラインの残電荷を放電する。ここでいう、残電荷とは、例えば、図２に示す６０μＦのコンデンサのようなＣ成分（コンデンサの成分又はコンデンサと等価な成分）に蓄積されている電荷をいう。なお、残電荷はこの６０μＦのコンデンサに蓄積されているものに限らない。
【００２１】
放電回路１４は、選択部１３とその他のユニット３０との間に接続されている。この放電回路１４は、制御部１６の制御下でオン／オフ動作して、選択部１３とその他のユニット３０との間の電源ラインの残電荷を放電する。
【００２２】
検出回路１５は、制御部１６の制御下で、選択部１３からその他のユニット３０への電源ラインの残電荷の有無を検出して、残電荷検出結果を制御部１６に出力し、制御部１６は、検出回路１５の残電荷検出結果に基づいて、放電回路１４の放電動作を制御する。
【００２３】
制御部１６は、例えば、ＣＰＵ（Central Processing Unit）、画像記録装置１及び電源部１０の動作を制御するプログラム及び必要なデータを格納するＲＯＭ（Read Only Memory）及びＲＡＭ（Random Access Memory）等を備え、ＣＰＵがＲＯＭ内のプログラムに基づいてＲＡＭをワークメモリとして利用して画像記録装置１の各部を制御して、画像記録装置１としての処理を実行するとともに、電源部１０の各部を制御して、後述する電源制御処理を実行する。
【００２４】
そして、電源部１０は、電源装着部２０ａ〜２０ｎとしてリチウム電池の装着部、単３電池の装着部、ＡＣアダプタ等があり、例えば、電源装着部２０ａにリチウム電池が装着され、電源装着部２０ｂに単３電池が装着される場合、図２に示すように回路構成され、各電源装着部２０ａ、２０ｂが選択部１３の選択回路１３ａ、１３ｂを介して負荷としてのその他のユニット３０の接続されるＵＮＲＥＧ１に接続されており、リチウム電池の電源装着部２０ａの電源ラインには、選択回路１３ａよりも下流側、すなわち、選択回路１３ａとＵＮＲＥＧ１との間に放電回路１４が接続されており、単３電池の電源装着部２０ｂの電源ラインには、選択回路１３ｂよりも上流側、すなわち、選択回路１３ｂと電源装着部２０ｂとの間に判別回路１２と放電回路１１ｂを一体化した判別・放電回路が接続されている。
【００２５】
各選択回路１３ａ、１３ｂは、例えば、制御部１６からの制御信号ＤＣＣＴＬ＿ＤＩＶ、ＤＣＣＴＬ＿Ｔ３等を増幅する小信号増幅用トランジスタＱ１ａ、Ｑ１ｂ（２ＳＣ４０８１等）とこのトランジスタＱ１ａ、Ｑ１ｂの動作でオン／オフして、リチウム電池の電源装着部２０ａと単３電池の電源装着部２０ｂをそれぞれ接続／遮断するＭＯＳＦＥＴ（電界効果トランジスタ：Field Effect Transistor ）Ｑ２ａ、Ｑ２ｂ及びＭＯＳＦＥＴＱ２ａ、Ｑ２ｂに並列に接続されてソフトスタート機能を実現する抵抗ＲａとコンデンサＣａからなるソフトスタート機能部Ｆｓａ、抵抗ＲｂとコンデンサＣｂからなるソフトスタート機能部Ｆｓｂ等を備えている。トランジスタＱ１ａ、Ｑ１ｂへの制御部１６からの制御信号ＤＣＣＴＬ＿ＤＩＶ、ＤＣＣＴＬ＿Ｔ３によってＭＯＳＦＥＴＱ２ａ、Ｑ２ｂがオン／オフすると電源ラインの接続／遮断が行われる。また、トランジスタＱ２ａ、Ｑ２ｂがオンしたときに、抵抗ＲａとコンデンサＣａで構成されるソフトスタート機能部Ｆｓａと抵抗ＲｂとコンデンサＣｂと１０ＫΩの抵抗器で構成されるソフトスタート機能部Ｆｓｂによってソフトスタートが行われる。
【００２６】
このソフトスタート機能とは、選択回路１３ａ、１３ｂがオンしたとき、後段のＵＮＲＥＧ１に接続されている負荷に電源の供給能力を超えるほどの突入電流が流れて電源電圧が降下することに起因して電源部１０が動作できなくなるのを防止するために、選択回路１３ａ、１３ｂがオンするときに、電流制限をかける機能である。
【００２７】
そして、このソフト機能を実現するソフトスタート機能部Ｆｓａ、ＦｓｂのコンデンサＣａ、Ｃｂに電荷が残っていると、制御部１６が選択回路１３ａ、１３ｂにオフ信号を出力しても、選択回路１３ａ、１３ｂがオフすることができず、通電して、誤った電源判別が行われるおそれがある。そこで、後述するように、このソフトスタート機能部Ｆｓａ、Ｆｓｂの残電荷を放電させている。
【００２８】
なお、このＭＯＳＦＥＴＱ２ａ、Ｑ２ｂは、その寄生ダイオードの向きが、電源装着部２０ａ、２０ｂの電源から負荷であるＵＮＲＥＧ１方向に対して逆方向となっている。
【００２９】
また、放電回路１４は、小信号増幅用トランジスタＱ３等を備え、制御部１６からの放電信号（ＢＡＴ＿ＤＩＳ、ＢＡＴ＿ＴＥＳＴ）に応じてトランジスタＱ３がオンして、選択回路１３ａ以降の電源ラインの残電荷の放電を行う。
【００３０】
判別回路１２は、例えば、図４において、エピタキシャルプレーナ型のトランジスタＱ４、Ｑ５が用いられており、制御部１６からのテスト信号ＢＡＴ＿ＤＩＶ（又はＢＡＴ＿Ｔ３）によって判別動作を開始して、複数の電源ラインのうちいずれの電源ラインに電源が接続されているか否かを判別し、判別結果を制御部１６に出力すると共に、電源が接続されている電源ライン（使用電源ライン）を示す信号ＢＡＴ＿ＤＩＶ（ＢＡＴ＿Ｔ３）を放電回路１１ｂのトランジスタＱ６のコレクタに入力し、さらに、判別結果に応じて放電回路１１ｂのベースに制御信号を入力する。
電源の種類と電源の種類毎に接続される電源ラインとは予め決められているので、接続されている電源が、リチウム電池であるか、単３電池であるか等の電源の種類を二次的に判別することができ、この意味で信号ＢＡＴ＿ＤＩＶ（ＢＡＴ＿Ｔ３）は電源の種類を示す信号でもある。
【００３１】
放電回路１１ｂは、判別回路１２の判別結果に応じてオンして、電源装着部２０ｂに装着されている単３電池及び単３電池から選択回路１３ａまでの電源ラインの電荷の放電を行う。
【００３２】
なお、信号ＢＡＴ＿ＫＩＮＤは、例えば、単３電池が電源装着部２０ｂに装着されていると、ハイ（Ｈ）が入力され、放電回路１１ｂがオンすると、ハイ（Ｈ）からロー（Ｌ）に移行し、電源装着部２０ｂに単３電池が装着されていないときには、ハイ（Ｈ）のままである。
【００３３】
なお、電源部１０は、図２に示したように、リチウム電池の装着される電源装着部２０ａ側の放電回路が、選択回路１３ａよりも下流側、すなわち、選択回路１３ａとＵＮＲＥＧ１との間に接続されている放電回路１４である場合について説明したが、電源装着部２０ａ側の放電回路も、図３に示すように、電源装着部２０ａと選択回路１３ａとの間に接続された放電回路１１ａであってもよく、放電回路１１ａ自体の構成は、放電回路１４と同じであり、電源装着部２０ｂに装着されている単３電池及び単３電池から選択回路１３ａまでの電源ラインの電荷の放電を行う。
【００３４】
また、電源部１０は、図２及び図３に示したように、単３電池の装着される電源装着部２０ｂ側のみに放電・判別回路が接続されているものに限るものではなく、例えば、図４に示すように、判別回路１２と放電回路１１ａを一体化した判別・放電回路が、選択回路１３ａよりも上流側、すなわち、選択回路１３ａと電源装着部２０ａとの間、または、選択回路１３ａよりも下流側に接続されていてもよい。この判別・放電回路の判別回路１２は、図２及び図３の電源装着部２０ｂ側に接続されている判別回路１２と同様の構成であり、同一の符号を付して、その説明を省略する。また、放電回路１１ａも、図３の放電回路１１ａと同様の構成であり、同一の符号を付して、その説明を省略する。
【００３５】
さらに、電源部１０は、選択回路１３ａ、１３ｂとして、ＭＯＳＦＥＴＱ２ａ、Ｑ２ｂの寄生ダイオードが各電源装着部２０ａ、２０ｂの電源に対して逆方向のものを用いているが、図５に示すように、その寄生ダイオードが電源装着部２０ａ、２０ｂから負荷のＵＮＲＥＧ１方向に順方向であるＭＯＳＦＥＴＱ１２ａ、Ｑ１２ｂを用いてもよく、この場合、負荷のＵＮＲＥＧ１に対しては、選択回路１３ａ、１３ｂとの間に、負荷方向に対して逆方向の寄生ダイオードとなるＭＯＳＦＥＴＱ４２を有する選択回路４０を設ける必要がある。この選択回路４０は、基本的には、他の選択回路１３ａ、１３ｂと同様であり、制御部１６からの制御信号ＤＣＣＴＬ＿ＤＩＶ、ＤＣＣＴＬ＿Ｔ３等を増幅する小信号増幅用トランジスタＱ４１（２ＳＣ４０８１等）とこのトランジスタＱ４１の動作でオン／オフして、選択回路１３ａ、１３ｂの出力と負荷側であるＵＮＲＥＧ１を接続／遮断するＭＯＳＦＥＴＱ４２及びＭＯＳＦＥＴＱ２ａ、Ｑ２ｂに並列に接続されてソフトスタート機能を実現する抵抗ＲｃとコンデンサＣｃ等を備えており、トランジスタＱ４１への制御部１６から制御信号ＤＣＣＴＬ＿ＤＩＶ、ＤＣＣＴＬ＿Ｔ３によってＭＯＳＦＥＴＱ４２がオン／オフして電源ラインの接続／遮断を行うとともに、トランジスタＱ４２がオンしたときに、抵抗ＲｃとコンデンサＣｃで構成されるソフトスタート機能部ＦＳｃによってソフトスタートを行う。
【００３６】
次に、本実施例の作用を説明する。本実施例の電源部１０を有する画像記録装置１は、複数種類の電源装着部２０ａ〜２０ｎに単３電池、リチウム電池（Ｌｉ電池）等の各種電源を装着可能であり、このような各種電源に接続されている各電源ラインのうちいずれの電源ラインに電源が装着されているか否かの判別を正確に行い、かつ、選択部１３で、当該接続されている電源装着部２０ａ〜２０ｎを負荷にソフトスタート機能を利用して接続するとともに、判別を誤っても安全を確保している。
【００３７】
なお、以下の説明では、説明を簡単にするために、電源として、リチウム電池の装着される電源装着部２０ａ（リチウム電池が装着される電源装着部２０ａに接続されている電源ライン）と、単３電池の装着される電源装着部２０ｂ（単３電池が装着される電源装着部２０ｂに接続されている電源ライン）とを備えているものについて説明する。
【００３８】
すなわち、電源部１０は、図６に示すように、電源装着部２０ａまたは電源装着部２０ｂにリチウム電池または単３電池のうちのいずれか一方が装着（挿入）されると（ステップＳ１０１）、制御部１６が、サブＣＰＵ（ＳＵＢ  ＣＰＵ）をリセットして（ステップＳ１０２）、選択回路１３ａのソフトスタート機能部Ｆｓａ及び選択回路１３ｂのソフトスタート機能部Ｆｓｂに蓄えられている残電荷を放電させるとともに、放電回路１１ａと放電回路１４または放電回路１１ａと放電回路１１ｂに電源ラインの残電荷の放電を行わせつつ（ステップＳ１０３）、電源電圧を読み込み（ステップＳ１０４）、読込回数または経過時間のカウントを行う（ステップＳ１０５）。なお、以下の説明では、読込回数に基づいて説明する。
【００３９】
読込回数のカウントを行うと、制御部１６は、読込回数が予め設定されている所定回数（所定値）以下であるかチェックする（ステップＳ１０６）。段落００１９に記載した回路構成要素のＣ成分に蓄積されている残電荷、例えば図２に示すＣ成分である６０μＦのコンデンサに蓄積されている残電荷について、残電荷の最大量はＣ成分の容量から理論的に予測できるので、これを上記の予め設定されている所定回数に分けて放電させる。このように所定回数に分けて放電すると、一度に放電させて大電流が流れて回路が故障するおそれがない。また、上記読み込み回数を予め設定すること及びＣ成分の残電荷の最大量が理論的に予測できることから、回路における１回の放電量は予め定まるので、放電の回数が何回であるかをカウントすることによって、残電荷が所定量以下であるか否かを判断できる。
そして、ステップＳ１０６で、所定回数に到達していないときには、電源電圧が予め設定されている所定電圧（所定値）以下であるかチェックする（ステップＳ１０７）。
放電させる毎に電源電圧を読み込み、この電圧を予め定めた電圧と比較すれば、使用電源ラインにおける残電荷の検出を行うことができ、電源電圧を読み込むことにより残電荷の検出を行うことができる。
ここで、残電荷の検出の意義について説明する。残電荷が残っていると、電源が装着されている電源装着部に接続されている電源ラインとは異なる電源ラインを使用する電源ラインとして選択するおそれがある。そこで、段落００１９、００２０に記載の通り、放電回路１１、１４が放電を行う。
【００４０】
制御部１６は、ステップＳ１０７で所定値以下でないときには、ステップＳ１０５に戻って読込回数のカウントから上記同様に処理して、読込回数が所定値に到達するか電源電圧が所定値に到達するかチェックし（ステップＳ１０５〜Ｓ１０７）、ステップＳ１０６で読込回数が所定値に到達するか、ステップＳ１０７で、電源電圧が所定値以下になると、制御部１６は、複数の電源ライン（ここでは、２個の電源ライン）のうちいずれの電源ラインに電源が接続されているか否かの判別を開始し、言い換えると、電源の種類（リチウム電池であるか、単３電池であるか）の判別を開始し（ステップＳ１０８）、予め設定
されている所定時間（所定値）待った後（ステップＳ１０９）、判別値の読み込みを行い（ステップＳ１１０）、電源電圧の判別を停止して（ステップＳ１１１）、電源が接続されている電源ラインがいずれの電源ラインであるのか、すなわち、ここでは、単３電池であるかチェックする（ステップＳ１１２）。
【００４１】
ステップＳ１１２で、電源装着部２０ａにリチウム電池が装着されているときにはその電源装着部２０ａに接続されている電源ラインを使用電源ラインとするために、制御部１６は、選択回路１３ａ、１３ｂを制御して、リチウム電池の装着されている電源装着部２０ａに接続されている電源ラインを選択させるための選択回路１３ａをオンにし、リチウム電池を負荷であるその他のユニット３０に接続して、電源制御処理を終了する（ステップＳ１１４）。
【００４２】
また、ステップＳ１１２で、リチウム電池が装着されていないときには、制御部１６は、電源装着部２０ｂに単３電池が装着されていると判断して、選択回路１３ａ、１３ｂを制御して、単３電池が装着される電源装着部２０ｂに接続されている電源ラインを選択させるための選択回路１３ｂをオンにし、単３電池を負荷であるその他のユニット３０に接続して、電源制御処理を終了する（ステップＳ１１３）。
なお、段落００３７に記載の経過時間のカウントを行う（ステップＳ１０５）場合には、放電時間間隔を定めておくこと及びＣ成分の残電荷の最大量が理論的に予測できることから、回路における予め定めた放電時間間隔における放電量が予め定まる。すなわち、どのくらいの放電時間で残電荷が所定電圧値以下になったか否かを判断できる。このように、放電開始からの経過時間によっても残電荷の有無を判断できる。
【００４３】
なお、上記ステップＳ１０６で、読取回数が所定値に到達した場合にも、使用電源ラインの判別を開始して電源ラインの接続処理に移行するのは、残電荷が放電しきれていないとき、または、放電回路が機能しない、検出回路が機能しない、あるいは、判別回路や選択部が機能しない等の何らかの故障が発生し、残電荷が分からないとき、または、判別回路が複数の電源が接続されていると判断したときに、読取回数が所定値に到達することで、放電動作や検出動作を停止して、電源ラインの接続処理に移行して、電源部１０への通電を確実に行い、動作を可能にして、利用性を向上させている。
【００４４】
また、本実施例の電源部１０を有する画像記録装置１においては、電源制御処理で読み込んだ電源電圧が所定値以下に下がる前に電源電圧の読込回数が所定回数（所定値）に到達すると、エラーとして処理してもよい。
【００４５】
すなわち、図７に示すように、電源部１０は、電源装着部２０ａまたは電源装着部２０ｂにリチウム電池または単３電池が装着（挿入）されると（ステップＳ２０１）、制御部１６が、サブＣＰＵ（ＳＵＢ  ＣＰＵ）をリセットして（ステップＳ２０２）、選択回路１３ａのソフトスタート機能部Ｆｓａ及び選択回路１３ｂのソフトスタート機能部Ｆｓｂに蓄えられている残電荷を放電させるとともに、放電回路１１ａと放電回路１４または放電回路１１ａと放電回路１１ｂに電源ラインの残電荷の放電を行わせつつ（ステップＳ２０３）、電源電圧の読み込みを行い（ステップＳ２０４）、読込回数または経過時間のカウントを行う（ステップＳ２０５）。なお、以下の説明では、読込回数に基づいて説明する。
【００４６】
読込回数のカウントを行うと、制御部１６は、読込回数が予め設定されている所定回数（所定値）以下であるかチェックし（ステップＳ２０６）、所定回数に到達していないときには、電源電圧が予め設定されている所定電圧（所定値）以下であるかチェックする（ステップＳ２０７）。
【００４７】
制御部１６は、ステップＳ２０７で所定値以下でないときには、ステップＳ２０５に戻って読込回数のカウントから上記同様に処理して、読込回数が所定値に到達するか電源電圧が所定値に到達するかチェックし（ステップＳ２０５〜Ｓ２０７）、ステップＳ２０７で、電源電圧が所定値以下になる前に、ステップＳ２０６で、読込回数が所定値に到達すると、制御部１６は、残電荷が放電しきれない状態または検出が不可能な状態であると判断して、エラー処理を実行して、処理を終了する（ステップＳ２０８）。このエラー処理としては、例えば、エラー後のシーケンスの停止、表示部のＬＣＤ（Liquid Crystal Dis
play）やＬＥＤ（Light Emitting Diode）等へのエラー警告表示、あるいは、音声部のスピーカやブザーによるエラー警告音やエラー警告メッセージの出力等を行う。そして、このエラー処理に応じてユーザによりエラー解除が行われ、再度、電池（電源）の挿入が行われると、制御部１６は、ステップＳ２０１の処理から電源制御処理を再度開始する。このエラー解除処理としては、例えば、電池（電源）の挿抜やリセットボタンの押下等が行われる。
【００４８】
そして、ステップＳ２０６で読込回数が所定値に到達する前に、ステップＳ２０７で、電源電圧が所定値以下になると、制御部１６は、複数の電源ライン（ここでは、２個の電源ライン）のうちいずれの電源ラインに電源が接続されているか否かの判別を開始し、言い換えると、電源の種類（リチウム電池であるか、単３電池であるか）の判別を開始し（ステップＳ２０９）、予め設定されている所定時間（所定値）待った後（ステップＳ２１０）、判別値の読み込みを行い（ステップＳ２１１）、電源電圧の判別を停止して（ステップＳ２１２）、電源が接続されている電源ラインがいずれの電源ラインであるのか、すなわち、ここでは、単３電池であるかチェックする（ステップＳ２１３）。
【００４９】
ステップＳ２１３で、電源装着部２０ａにリチウム電池が装着されているときにはその電源装着部２０ａに接続されている電源ラインを使用電源ラインとするために、制御部１６は、選択回路１３ａ、１３ｂを制御して、リチウム電池の装着されている電源装着部２０ａに接続されている電源ラインを選択させるための選択回路１３ａをオンにし、リチウム電池を負荷であるその他のユニット３０に接続して、電源制御処理を終了する（ステップＳ２１５）。
【００５０】
また、ステップＳ２１３で、リチウム電池が装着されていないときには、制御部１６は、電源装着部２０ｂに単３電池が装着されていると判断して、選択回路１３ａ、１３ｂを制御して、単３電池が装着される電源装着部２０ｂに接続されている電源ラインを選択させるための選択回路１３ｂをオンにし、単３電池を負荷であるその他のユニット３０に接続して、電源制御処理を終了する（ステップＳ２１４）。
【００５１】
このように、本実施例の電源部１０を備えた画像記録装置１は、電源部１０が、複数の電源装着部２０ａ〜２０ｎにそれぞれ接続されている各電源ラインのうちの１つを使用電源ラインとして選択しかつソフトスタート機能部を有する選択部１３のソフトスタート機能部Ｆｓａ、Ｆｓｂ、Ｆｓｃの残電荷を放電させるとともに、この選択部１３までの複数の電源ラインまたは選択部１３以降の１個の電源ラインのうち、電源装着部２０ａ〜２０ｎに電源が装着されていない電源ラインまたは全ての電源ラインの残電荷の放電を放電回路１１ａ〜１１ｎで、所定時間または所定電圧まで行って、判別回路１２が、電源装着部２０ａ〜２０ｎに接続されている電源ラインのうち、電源が装着されている電源装着部に接続されている電源ラインを判別して、選択部１３が、判別回路１２の判別した電源装着部２０ａ〜２０ｎに接続されている電源ラインを使用電源ラインとして選択している。
【００５２】
したがって、ソフトスタート機能部Ｆｓａ、Ｆｓｂ、Ｆｓｃの残電荷の存在による選択部１３のオフへの移行負荷によって電源判別を間違えることなく防止して、電源装着部２０ａ〜２０ｎに接続されているいずれの電源ラインに電源が接続されているか否かを素早く、かつ、正確に判別することができ、たとえ、判別を誤っても、選択部１３が電源が装着されていない電源装着部２０ａ〜２０ｎに接続されている電源ラインを選択することにより、電源が供給されず、動作が行われないのみで、安全性を向上させることができる。
【００５３】
また、本実施例の電源部１０を備えた画像記録装置１は、装着可能な複数の電源装着部２０ａ〜２０ｎにそれぞれ接続されている各電源ラインのうち１つを使用電源ラインとして選択しかつソフトスタート機能部を有する選択部１３までの電源ラインまたは選択部１３以降の電源ラインのうち、電源装着部２０ａ〜２０ｎが接続されていない電源ラインまたは全ての電源ラインの残電荷の放電を放電回路１１ａ〜１１ｎで、所定時間または所定電圧まで行うとともに、選択回路１３ａ、１３ｂ、４０のソフトスタート機能部Ｆｓａ、ｆｓｂ、Ｆｓｃの残電荷を放電させて、検出回路１５で、電源装着部２０ａ〜２０ｎから選択部１３までの電源ラインまたは選択部１３以降の電源ラインの残電荷を検出し、判別回路１２が、検出した残電荷を参照して電源装着部２０ａ〜２０ｎに接続されている電源ラインのうちいずれの電源ラインに電源が接続されているか否かを判別して、選択部１３が、判別回路１２の判別した電源ラインを使用電源ラインとして選択している。
【００５４】
したがって、電源装着部２０ａ〜２０ｎに接続されている電源ラインのうちいずれの電源ラインに電源が接続されているか否かを素早く、かつ、より一層正確に判別することができ、たとえ、判別を誤っても、選択部１３が電源が接続されていない電源ラインを選択して、電源が供給されず、動作が行われないのみで、安全性を向上させることができる。
【００５５】
さらに、本実施例の電源部１０を備えた画像記録装置１は、判別回路１２による電源装着部２０ａ〜２０ｎに接続されている電源ラインのうちいずれの電源ラインに電源が接続されているか否かの判別を行う前に、選択回路１３ａ、１３ｂ、４０のソフトスタート機能部Ｆｓａ、Ｆｓｂ、Ｆｓｃの残電荷を放電しつつ、または、放電した後、放電回路１１ａ〜１１ｎによる残電荷の放電及び検出回路１５による残電荷の検出を開始している。
【００５６】
したがって、電源装着部２０ａ〜２０ｎに装着されている電源の不必要な消費を防止して、省電力化を図ることができるとともに、少なくとも電源判別を行う前に残電荷をなくし、あるいは、所定電圧まで低下させて、正確な電源判別を行うことができる。
【００５７】
また、本実施例の電源部１０を備えた画像記録装置１は、選択回路１３ａ、１３ｂ、４０のソフトスタート機能部Ｆｓａ、Ｆｓｂ、Ｆｓｃの残電荷を放電しつつ、または、放電した後、放電回路１１ａ〜１１ｎによる残電荷の放電と検出回路１５による残電荷の検出を、並行して、または、所定の優先順位に基づいて実行している。
【００５８】
したがって、例えば、先に残電荷の検出を行って、残電荷が無くなっていたり、あるいは、所定の電圧に低下していると、放電動作を行わなくて済み、より一層効率的に電源判別を行うことができ、また、放電動作と検出動作を同時に行うと、残電荷の放電と検出を最短時間で行って、より一層速やかに、使用電源ラインを正確に判別することができる。
【００５９】
さらに、本実施例の電源部１０を備えた画像記録装置１は、検出回路１５の検出する残電荷が所定の設定値に低下しているが、判別回路１２による電源検出可能状態でないときには、選択回路１３ａ、１３ｂ、４０のソフトスタート機能部Ｆｓａ、Ｆｓｂ、Ｆｓｃの残電荷の放電処理、放電回路１１ａ〜１１ｎによる放電処理及び検出回路１５による検出処理を停止させ、選択部１３に少なくとも１つの使用電源ラインを選択させている。
【００６０】
したがって、電源部１０への通電を確実に行うことができ、動作を可能にして、利用性を向上させることができる。
【００６１】
また、本実施例の電源部１０を備えた画像記録装置１は、予め設定された所定の設定条件内に、判別回路１２による電源検出可能状態とならないときには、選択回路１３ａ、１３ｂ、４０のソフトスタート機能部Ｆｓａ、Ｆｓｂ、Ｆｓｃの残電荷の放電処理、放電回路１１ａ〜１１ｎによる放電処理及び検出回路１５による検出処理を停止させ、所定のエラー処理を実行している。
【００６２】
したがって、危険を回避することができ、より一層安全性を向上させることができる。
【００６３】
なお、上記実施例においては、放電回路１１ａ〜１１ｎ及び放電回路１４を備え、検出回路１５が選択部１３とその他のユニット３０との間にのみ設けられている場合について説明したが、放電回路１１ａ〜１１ｎの代わりに、あるいは、放電回路１１ａ〜１１ｎに並列に、検出回路１５と同様の検出回路を設け、電源装着部２０ａ〜２０ｎから選択部１３までの電源ラインまたは選択部１３以降の電源ラインの残電荷を検出回路１５で検出し、判別回路１２が、検出した残電荷を参照して電源装着部２０ａ〜２０ｎにそれぞれ接続されている各電源ラインのうちいずれの電源ラインに電源が接続されているか否かを判別して、選択部１３が、判別回路１２の判別した電源装着部２０ａ〜２０ｎのうち電源が接続されている電源ラインを使用電源ラインとして選択してもよい。
【００６４】
したがって、電源装着部２０ａ〜２０ｎに接続されている複数の電源ラインのうちいずれの電源ラインに電源が装着されているか否かをより一層安価に、かつ、素早く正確に判別することができ、たとえ、判別を誤っても、選択部１３は電源が接続されていない電源装着部２０ａ〜２０ｎを選択して、電源が供給されず、動作が行われないのみで、安全性を向上させることができる。
【００６５】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００６６】
複数種類の電源が着脱可能に装着され、電源が装着されている電源装着部に接続されている電源ラインを正確に判断して適切な電源供給を行う電源装置及び電源装置を備えたデジタルスチルカメラ、プリンタ等の画像記録装置等の電子機器に適用することができる。
【図面の簡単な説明】
【００６７】
【図１】本発明の電源装置及び電子機器の一実施例を適用した画像記録装置の電源部の要部ブロック構成図。
【図２】装着電源がリチウム電池、単３電池である場合の電源部の回路構成図。
【図３】図２のリチウム電池側の放電回路が選択回路よりもリチウム電池側に接続されている場合の電源部の回路構成図。
【図４】図３の放電回路が判別回路も備えている場合の電源部の回路構成図。
【図５】選択回路のＭＯＳＦＥＴの寄生ダイオードが負荷方向に対して順方向となっている場合の電源部の回路構成図。
【図６】図１の電源部による電源制御処理を示すフローチャート。
【図７】図１の電源部によるエラー処理を伴う電源制御処理を示すフローチャート。
【符号の説明】
【００６８】
１  画像記録装置（電子機器）
１０  電源部
１１ａ〜１１ｎ  放電回路（放電手段）
１２  判別回路（使用電源ライン判別手段）
１３  選択部（使用電源ライン選択手段）
１３ａ、１３ｂ  選択回路
Ｒａ、Ｒｂ、Ｒｃ    抵抗
Ｃｃ、Ｃｂ、Ｃｃ  コンデンサ
Ｆｓａ、Ｆｓｂ、Ｆｓｃ  ソフトスタート機能部
１４  放電回路（放電手段）
１５  検出回路
１６  制御部
２０ａ〜２０ｎ  電源装着部
３０  その他のユニット
Ｑ１ａ、Ｑ１ｂ、Ｑ３、Ｑ４１  トランジスタ
Ｑ２ａ、Ｑ２ｂ、Ｑ４２  ＭＯＳＦＥＴ
【図１】
0004149418.tif 000002
【図２】
0004149418.tif 000003
【図３】
0004149418.tif 000004
【図４】
0004149418.tif 000005
【図５】
0004149418.tif 000006
【図６】
0004149418.tif 000007
【図７】
0004149418.tif 000008